(57)【要約】【課題】  ユーザにより指定される測定対象領域に位置のばらつきがある場合、測定対象領域を間違って指定した場合、或いは、複数のエッジが測定対象領域に含まれている場合であっても、所望のエッジを正しく抽出することができる画像測定器を提供する。【解決手段】  ワークを撮影し、ワーク画像を生成するカメラ１１０，１２０と、ユーザ操作に基づいて、ワーク画像に対し、測定対象領域を指定する測定領域指定部２３と、測定対象領域内のエッジを抽出するエッジ抽出部２６と、同一の測定対象領域に対する２以上のエッジ抽出結果を表示するエッジ抽出結果表示部２９と、ユーザ操作に基づいて、エッジ抽出結果のいずれか一つを選択するエッジ抽出結果選択部３０と、選択されたエッジ抽出結果を他のエッジ抽出結果よりも優先的に抽出するためのエッジ抽出パラメータを決定するエッジ抽出パラメータ決定部４１により構成される。【選択図】  図３
2015163860.tif 000002
【特許請求の範囲】
【請求項１】
ワークを撮影し、ワーク画像を生成するカメラと、
ユーザ操作に基づいて、上記ワーク画像に対し、測定対象領域を指定する測定領域指定手段と、
上記測定対象領域内のエッジを抽出するエッジ抽出手段と、
同一の測定対象領域に対する２以上のエッジ抽出結果を表示するエッジ抽出結果表示手段と、
ユーザ操作に基づいて、上記エッジ抽出結果のいずれか一つを選択するエッジ抽出結果選択手段と、
選択された上記エッジ抽出結果を他の上記エッジ抽出結果よりも優先的に抽出するためのエッジ抽出パラメータを決定するエッジ抽出パラメータ決定手段とを備えたことを特徴とする画像測定器。
【請求項２】
上記エッジ抽出結果表示手段は、上記エッジ抽出結果を、上記ワーク画像上に重ねて表示することを特徴とする請求項１に記載の画像測定器。
【請求項３】
上記エッジ抽出パラメータ決定手段により決定された上記エッジ抽出パラメータと、上記測定領域指定手段により指定された上記測定対象領域とを測定設定データとして保持する測定設定記憶手段を備え、
上記測定設定記憶手段には、上記エッジ抽出パラメータが上記測定対象領域に関連づけて保持され、
上記エッジ抽出手段は、上記測定設定データが指定された連続測定において、上記測定設定データとして保持された上記エッジ抽出パラメータに基づいて、エッジ抽出を行うことを特徴とする請求項１又は２に記載の画像測定器。
【請求項４】
上記測定設定記憶手段には、上記測定領域指定手段により同一のワーク画像に対して指定された２以上の上記測定対象領域と、これらの測定対象領域ごとに上記エッジ抽出パラメータ決定手段により決定された上記エッジ抽出パラメータとが測定設定データとして保持され、
上記エッジ抽出手段は、上記連続測定において、上記測定設定データとして保持された上記エッジ抽出パラメータを用いて対応する上記測定対象領域からエッジを抽出することを、上記測定対象領域を変更しながら繰り返すことを特徴とする請求項３に記載の画像測定器。
【請求項５】
上記エッジ抽出結果表示手段は、同一の測定対象領域から抽出された２以上のエッジのいずれか一つを選択的に表示することを特徴とする請求項１〜４のいずれかに記載の画像測定器。
【請求項６】
抽出された上記エッジに基づいて、ワークの寸法値を求める寸法値算出手段と、
抽出された上記エッジに基づいて、幾何学的特徴量を求める幾何学的特徴量算出手段とを備え、
上記エッジ抽出結果表示手段は、上記エッジに対応づけて、上記寸法値、上記エッジを構成するエッジ点列又は上記幾何学的特徴量を表示することを特徴とする請求項５に記載の画像測定器。
【請求項７】
ユーザ操作に基づいて、エッジ形状を指定するエッジ形状指定手段を備え、
上記エッジ抽出手段は、指定された上記エッジ形状に基づいて、上記測定対象領域内のエッジを抽出することを特徴とする請求項１〜６のいずれかに記載の画像測定器。
【請求項８】
上記エッジ形状指定手段は、ユーザが上記測定対象領域を指定する際の領域指定情報に基づいて、エッジ点列にフィッティングさせる幾何学的形状を自動的に決定することを特徴とする請求項７に記載の画像測定器。
【請求項９】
同一の測定対象領域から抽出された２以上の上記エッジについて、エッジ抽出の安定度を求める安定度算出手段を備え、
上記エッジ抽出結果表示手段は、上記安定度に基づいて、同一の測定対象領域から抽出された２以上のエッジを選択的に表示することを特徴とする請求項１〜８のいずれかに記載の画像測定器。
【請求項１０】
上記エッジ抽出手段は、同一の測定対象領域に対し、１つのエッジだけが抽出される上記エッジ抽出パラメータを変更しながらエッジ抽出を繰り返すことにより、複数のエッジを抽出することを特徴とする請求項１〜９のいずれかに記載の画像測定器。
【請求項１１】
上記エッジ抽出パラメータ決定手段は、上記エッジ抽出手段が、上記エッジ抽出パラメータを変更しながらエッジ抽出を繰り返して複数のエッジを抽出する際に、上記エッジ抽出パラメータを同時に決定することを特徴とする請求項１０に記載の画像測定器。
【請求項１２】
上記エッジ抽出手段は、上記測定対象領域から抽出した多数のエッジ点を、フィットする幾何学図形に応じて２以上の形状グループにグループ分けし、上記形状グループごとにエッジを特定することを特徴とする請求項１〜９のいずれかに記載の画像測定器。
【請求項１３】
同一の測定対象領域から２以上の上記エッジが抽出されたことをユーザに通知するユーザ通知手段を備え、
上記エッジ抽出結果表示手段は、ユーザ操作に基づいて、同一の測定対象領域から抽出された２以上のエッジをワーク画像上に表示することを特徴とする請求項１〜１２のいずれかに記載の画像測定器。
【発明の詳細な説明】
【技術分野】
【０００１】
本発明は、画像測定器に係り、さらに詳しくは、ワークを撮影したワーク画像内のエッジを抽出してワークの寸法や形状を測定する画像測定器の改良に関する。
【背景技術】
【０００２】
画像測定器は、ワークを撮影してワーク画像を取得し、ワーク画像内のエッジを抽出してワークの寸法や形状を測定する装置である（例えば、特許文献１〜５）。通常、ワークは、Ｘ，Ｙ及びＺ軸方向に移動可能な可動ステージ上に載置される。可動ステージをＺ軸方向に移動させることにより、ワーク画像のピント合わせが行われ、Ｘ又はＹ軸方向に移動させることにより、ワークの視野内への位置調整が行われる。
【０００３】
ワーク画像は、可動ステージのＺ軸方向の位置に関わらず、ワークに対して極めて正確な相似形であることから、ワーク画像上の距離や角度を判定することにより、ワーク上における実際の寸法を検知することができる。エッジ抽出は、ワーク画像に対し、予め指定される測定対象領域について、輝度変化を解析してエッジ点を抽出し、抽出した複数のエッジ点に直線、円、円弧などの幾何学図形をフィッティングさせることにより行われる。ワークの寸法は、この様にして求められるエッジ間の距離や角度、円形状のエッジの中心位置や直径として測定される。また、測定した寸法値と設計値との差分（誤差）を公差と比較して良否判定が行われる。
【０００４】
この様な画像測定器を用いてワークの外形を測定する場合、カメラとは反対側からステージ上のワークに照明光を照射する透過照明を利用することが多い。一方、ワーク上の非貫通孔、段差、凹凸を測定する場合には、カメラと同じ側からステージ上のワークに照明光を照射する落射照明が利用される。
【先行技術文献】
【特許文献】
【０００５】
【特許文献１】特開２０１２−３２２２４号公報
【特許文献２】特開２０１２−３２３４１号公報
【特許文献３】特開２０１２−３２３４４号公報
【特許文献４】特開２０１２−１５９４０９号公報
【特許文献５】特開２０１２−１５９４１０号公報
【発明の概要】
【発明が解決しようとする課題】
【０００６】
従来の画像測定器では、所望のエッジを正しく抽出するために、ワーク画像に対して測定対象領域を適切に指定する必要があった。しかしながら、測定対象領域の位置や形状を適切に指定することは、ユーザにとって手間がかかる作業であることに加え、抽出しようとするエッジが含まれるように測定対象領域の位置を定めることが容易ではないという問題があった。特に、落射照明を利用して撮影されたワーク画像では、ワーク表面のテクスチャ、すなわち、加工跡、模様、微細な凹凸、段差などをエッジであると誤認し易く、所望のエッジを正確に見極めることが難しいという問題があった。
【０００７】
本発明は、上記の事情に鑑みてなされたものであり、ユーザの作業負荷を増大させることなく、所望のエッジを正しく抽出することができる画像測定器を提供することを目的とする。特に、ユーザにより指定される測定対象領域に位置のばらつきがある場合、測定対象領域を間違って指定した場合、或いは、複数のエッジが測定対象領域に含まれている場合であっても、所望のエッジを正しく抽出することができる画像測定器を提供することを目的とする。
【課題を解決するための手段】
【０００８】
第１の本発明による画像測定器は、ワークを撮影し、ワーク画像を生成するカメラと、ユーザ操作に基づいて、上記ワーク画像に対し、測定対象領域を指定する測定領域指定手段と、上記測定対象領域内のエッジを抽出するエッジ抽出手段と、同一の測定対象領域に対する２以上のエッジ抽出結果を表示するエッジ抽出結果表示手段と、ユーザ操作に基づいて、上記エッジ抽出結果のいずれか一つを選択するエッジ抽出結果選択手段と、選択された上記エッジ抽出結果を他の上記エッジ抽出結果よりも優先的に抽出するためのエッジ抽出パラメータを決定するエッジ抽出パラメータ決定手段とを備えて構成される。
【０００９】
この画像測定器では、同一の測定対象領域から抽出した２以上のエッジ抽出結果が表示される。このため、ユーザは、表示されたエッジ抽出結果のいずれか一つを選択するだけで、所望のエッジを抽出するのに適したエッジ抽出パラメータを決定することができる。また、エッジ抽出は、この様にして決定されたエッジ抽出パラメータに基づいて行われるので、測定対象領域に位置のばらつきがある場合、測定対象領域を間違って指定した場合、或いは、複数のエッジが測定対象領域に含まれている場合であっても、所望のエッジを正しく抽出することができる。
【００１０】
第２の本発明による画像測定器は、上記構成に加え、上記エッジ抽出結果表示手段が、上記エッジ抽出結果を、上記ワーク画像上に重ねて表示するように構成される。この様な構成によれば、エッジ抽出結果とワーク画像との相対的な位置関係を容易に識別することができる。
【００１１】
第３の本発明による画像測定器は、上記構成に加え、上記エッジ抽出パラメータ決定手段により決定された上記エッジ抽出パラメータと、上記測定領域指定手段により指定された上記測定対象領域とを測定設定データとして保持する測定設定記憶手段を備え、上記測定設定記憶手段には、上記エッジ抽出パラメータが上記測定対象領域に関連づけて保持され、上記エッジ抽出手段が、上記測定設定データが指定された連続測定において、上記測定設定データとして保持された上記エッジ抽出パラメータに基づいて、エッジ抽出を行うように構成される。
【００１２】
この様な構成によれば、測定設定記憶手段にはエッジ抽出パラメータが測定対象領域に関連づけて保持されるので、測定設定データを指定することにより、測定対象領域を測定するのに適したエッジ抽出パラメータを識別することができる。また、測定設定データが指定された連続測定では、測定対象領域を測定するのに適したエッジ抽出パラメータでエッジ抽出が行われる。このため、ワークの形状や材質が変わっても、測定設定データを指定するだけで、安定した寸法測定を行うことができる。
【００１３】
第４の本発明による画像測定器は、上記構成に加え、上記測定設定記憶手段には、上記測定領域指定手段により同一のワーク画像に対して指定された２以上の上記測定対象領域と、これらの測定対象領域ごとに上記エッジ抽出パラメータ決定手段により決定された上記エッジ抽出パラメータとが測定設定データとして保持され、上記エッジ抽出手段が、上記連続測定において、上記測定設定データとして保持された上記エッジ抽出パラメータを用いて対応する上記測定対象領域からエッジを抽出することを、上記測定対象領域を変更しながら繰り返すように構成される。この様な構成によれば、測定設定データを指定するだけで、複数の測定対象領域について、安定した寸法測定を行うことができる。
【００１４】
第５の本発明による画像測定器は、上記構成に加え、上記エッジ抽出結果表示手段が、同一の測定対象領域から抽出された２以上のエッジのいずれか一つを選択的に表示するように構成される。この様な構成によれば、同一の測定対象領域から抽出されたエッジを個別に確認することができる。
【００１５】
第６の本発明による画像測定器は、上記構成に加え、抽出された上記エッジに基づいて、ワークの寸法値を求める寸法値算出手段と、抽出された上記エッジに基づいて、幾何学的特徴量を求める幾何学的特徴量算出手段とを備え、上記エッジ抽出結果表示手段が、上記エッジに対応づけて、上記寸法値、上記エッジを構成するエッジ点列又は上記幾何学的特徴量を表示するように構成される。この様な構成によれば、エッジの形状や位置を確認することができるとともに、エッジを構成するエッジ点列、エッジから求められたワークの寸法値又は幾何学的特徴量を確認して適切なエッジを選択することができる。
【００１６】
第７の本発明による画像測定器は、上記構成に加え、ユーザ操作に基づいて、エッジ形状を指定するエッジ形状指定手段を備え、上記エッジ抽出手段が、指定された上記エッジ形状に基づいて、上記測定対象領域内のエッジを抽出するように構成される。この様な構成によれば、ユーザにより指定されたエッジ形状以外の形状のエッジは抽出されないので、エッジ抽出の精度を向上させることができる。
【００１７】
第８の本発明による画像測定器は、上記構成に加え、上記エッジ形状指定手段が、ユーザが上記測定対象領域を指定する際の領域指定情報に基づいて、エッジ点列にフィッティングさせる幾何学的形状を自動的に決定するように構成される。この様な構成によれば、測定対象領域を指定するだけで、エッジ形状を指定することができる。
【００１８】
第９の本発明による画像測定器は、上記構成に加え、同一の測定対象領域から抽出された２以上の上記エッジについて、エッジ抽出の安定度を求める安定度算出手段を備え、上記エッジ抽出結果表示手段が、上記安定度に基づいて、同一の測定対象領域から抽出された２以上のエッジを選択的に表示するように構成される。この様な構成によれば、安定度の低いエッジは表示されないので、安定度の低いエッジによってエッジ抽出パラメータが誤って定められるのを防止することができる。
【００１９】
第１０の本発明による画像測定器は、上記構成に加え、上記エッジ抽出手段が、同一の測定対象領域に対し、１つのエッジだけが抽出される上記エッジ抽出パラメータを変更しながらエッジ抽出を繰り返すことにより、複数のエッジを抽出するように構成される。この様な構成によれば、エッジ抽出パラメータを異ならせるだけで、同一の測定対象領域から複数のエッジを抽出することができる。
【００２０】
第１１の本発明による画像測定器は、上記構成に加え、上記エッジ抽出手段が、上記エッジ抽出パラメータを変更しながらエッジ抽出を繰り返して複数のエッジを抽出する際に、上記エッジ抽出パラメータ決定手段が、上記エッジ抽出パラメータを同時に決定するように構成される。この様な構成によれば、同一の測定対象領域から複数のエッジを抽出した時点で、それぞれのエッジを抽出するのに適したエッジ抽出パラメータが自動的に決定されるので、ユーザがエッジを選択した時点では、演算によってエッジ抽出パラメータを求める必要がない。
【００２１】
第１２の本発明による画像測定器は、上記構成に加え、上記エッジ抽出手段が、上記測定対象領域から抽出した多数のエッジ点を、フィットする幾何学図形に応じて２以上の形状グループにグループ分けし、上記形状グループごとにエッジを特定するように構成される。この様な構成によれば、多数のエッジ点を複数の形状グループにグループ分けすることにより、同一の測定対象領域から複数のエッジを抽出することができる。
【００２２】
第１３の本発明による画像測定器は、上記構成に加え、同一の測定対象領域から２以上の上記エッジが抽出されたことをユーザに通知するユーザ通知手段を備え、上記エッジ抽出結果表示手段が、ユーザ操作に基づいて、同一の測定対象領域から抽出された２以上のエッジをワーク画像上に表示するように構成される。この様な構成によれば、同一の測定対象領域から複数のエッジが抽出されたことを確認してから、これらのエッジをワーク画像上に表示させることができる。
【発明の効果】
【００２３】
本発明によれば、ユーザの作業負荷を増大させることなく、所望のエッジを正しく抽出することができる画像測定器を提供することができる。特に、同一の測定対象領域から複数のエッジ抽出結果を抽出してエッジ抽出パラメータを決定するので、ユーザにより指定される測定対象領域に位置のばらつきがあっても、所望のエッジを正しく抽出することができる画像測定器を提供することができる。
【図面の簡単な説明】
【００２４】
【図１】本発明の実施の形態１による画像測定器１の一構成例を示した斜視図である。
【図２】図１の測定ユニット１０の構成例を模式的に示した説明図であり、測定ユニット１０を撮影軸と平行な垂直面により切断した場合の切断面が示されている。
【図３】図１の制御ユニット２０内の機能構成の一例を示したブロック図である。
【図４】図１の画像測定器１の動作の一例を示した図であり、測定ユニット１０のディスプレイ装置１１に表示される測定設定画面５０が示されている。
【図５】図１の画像測定器１の動作の一例を示した図であり、プレビュー領域５１内のワーク画像２に対して測定対象領域３を指定した後の状態が示されている。
【図６】図１の画像測定器１の動作の一例を示した図であり、測定対象領域３から抽出されたエッジ４の一つを選択した場合が示されている。
【図７】図１の画像測定器１の動作の一例を示した図であり、エッジ選択ボタン５６を操作して他のエッジ４を選択した場合が示されている。
【図８】図１の画像測定器１におけるエッジ抽出時の動作の一例を模式的に示した説明図である。
【図９】図１の画像測定器１におけるエッジ抽出時の動作の一例を示した図であり、エッジ抽出パラメータを互いに異ならせて抽出されたエッジ点５が示されている。
【図１０】図１の画像測定器１における測定設定時の動作の一例を示したフローチャートである。
【図１１】図１の画像測定器１における寸法測定時の動作の一例を示したフローチャートである。
【図１２】本発明の実施の形態２による画像測定器１の一構成例を示したブロック図であり、制御ユニット２０内の機能構成の一例が示されている。
【発明を実施するための形態】
【００２５】
実施の形態１．
＜画像測定器１＞
図１は、本発明の実施の形態１による画像測定器１の一構成例を示した斜視図である。この画像測定器１は、ワークを撮影したワーク画像内のエッジを抽出してワークの寸法を測定する寸法測定装置であり、測定ユニット１０、制御ユニット２０、キーボード３１及びマウス３２により構成される。ワークは、その形状や寸法が測定される測定対象物である。
【００２６】
測定ユニット１０は、ディスプレイ装置１１、可動ステージ１２、ＸＹ調整つまみ１４ａ、Ｚ調整つまみ１４ｂ、電源スイッチ１５及び実行ボタン１６を備え、可動ステージ１２上のワークに可視光からなる検出光を照射し、その透過光又は反射光を受光してワーク画像を生成する。ワークは、可動ステージ１２の検出エリア１３内に載置される。また、測定ユニット１０は、ワーク画像をディスプレイ装置１１の表示画面１１ａに表示する。
【００２７】
ディスプレイ装置１１は、ワーク画像や測定結果を表示画面１１ａ上に表示する表示装置である。可動ステージ１２は、ワークを載置するための載置台であり、検出光を透過させる検出エリア１３が設けられている。検出エリア１３は、透明ガラスからなる円形状の領域である。この可動ステージ１２は、カメラの撮影軸に平行なＺ軸方向と、撮影軸に垂直なＸ軸方向及びＹ軸方向に移動させることができる。
【００２８】
ＸＹ調整つまみ１４ａは、可動ステージ１２をＸ軸方向又はＹ軸方向に移動させることにより、Ｘ軸方向及びＹ軸方向の位置を調整するための操作部である。Ｚ調整つまみ１４ｂは、可動ステージ１２をＺ軸方向に移動させることにより、Ｚ軸方向の位置を調整するための操作部である。電源スイッチ１５は、測定ユニット１０及び制御ユニット２０の主電源をオン状態及びオフ状態間で切り替えるための操作部である。実行ボタン１６は、寸法測定を開始させるための操作部である。
【００２９】
制御ユニット２０は、測定ユニット１０による撮影や画面表示を制御し、ワーク画像を解析してワークの寸法を測定するコントローラ部であり、キーボード３１及びマウス３２が接続されている。電源投入後、検出エリア１３内にワークを配置して実行ボタン１６を操作すれば、ワークの寸法が自動的に測定される。
【００３０】
＜測定ユニット１０＞
図２は、図１の測定ユニット１０の構成例を模式的に示した説明図であり、測定ユニット１０を撮影軸と平行な垂直面により切断した場合の切断面が示されている。この測定ユニット１０は、ディスプレイ装置１１、可動ステージ１２、筐体１００、ステージ調整部１０１、鏡筒部１０２、照明位置調整部１０３、カメラ１１０，１２０、同軸落射照明ユニット１３０、リング照明ユニット１４０及び透過照明ユニット１５０により構成される。
【００３１】
ステージ調整部１０１、鏡筒部１０２、カメラ１１０，１２０、同軸落射照明ユニット１３０及び透過照明ユニット１５０は、筐体１００内に配置されている。ステージ調整部１０１は、制御ユニット２０からの駆動信号に基づいて、可動ステージ１２をＸ，Ｙ又はＺ軸方向に移動させ、ワークのＸ，Ｙ及びＺ軸方向の位置を調整する。
【００３２】
カメラ１１０は、撮影倍率の低い撮像装置であり、撮像素子１１１、結像レンズ１１２、絞り板１１３及び受光レンズ１１４により構成される。撮像素子１１１は、検出光を受光してワーク画像を生成する。この撮像素子１１１は、受光面を下方に向けて配置されている。結像レンズ１１２は、検出光を撮像素子１１１上に結像させる光学部材である。絞り板１１３は、検出光の透過光量を制限する光学絞りであり、結像レンズ１１２及び受光レンズ１１４間に配置されている。受光レンズ１１４は、ワークからの検出光を集光する光学部材であり、可動ステージ１２に対向させて配置されている。結像レンズ１１２、絞り板１１３及び受光レンズ１１４は、上下方向に延びる中心軸を中心として配置されている。
【００３３】
カメラ１２０は、撮影倍率の高い撮像装置であり、撮像素子１２１、結像レンズ１２２、絞り板１２３、ハーフミラー１２４及び受光レンズ１１４により構成される。撮像素子１２１は、検出光を受光してワーク画像を生成する。この撮像素子１２１は、受光面を水平方向に向けて配置されている。結像レンズ１２２は、検出光を撮像素子１２１上に結像させる光学部材である。絞り板１２３は、検出光の透過光量を制限する光学絞りであり、結像レンズ１２２及びハーフミラー１２４間に配置されている。受光レンズ１１４は、カメラ１１０と共通である。受光レンズ１１４を透過した検出光は、ハーフミラー１２４により水平方向に折り曲げられ、絞り板１２３及び結像レンズ１２２を介して撮像素子１２１に結像する。
【００３４】
撮像素子１１１及び１２１には、ＣＣＤ（Charge Coupled Devices：電荷結合素子）、ＣＭＯＳ（Complementary Metal Oxide Semiconductor：相補型金属酸化物半導体）などのイメージセンサが用いられる。受光レンズ１１４には、上下方向、すなわち、撮影軸方向の位置が変化しても、像の大きさを変化させない性質を有するテレセントリックレンズが用いられる。
【００３５】
同軸落射照明ユニット１３０は、可動ステージ１２上のワークに照明光を上方から照射する落射照明装置であり、照射光の光軸を撮影軸に一致させている。この同軸落射照明ユニット１３０は、水平方向に向けて配置された光源１３１と、光源１３１から出射された照明光を下方に折り曲げるハーフミラー１３２とにより構成される。
【００３６】
結像レンズ１１２，１２２、絞り板１１３，１２３、ハーフミラー１２４，１３２及び受光レンズ１１４は、鏡筒部１０２内に配置されている。
【００３７】
透過照明ユニット１５０は、可動ステージ１２上のワークに照明光を下方から照射する透過照明装置であり、光源１５１、ミラー１５２及び集光レンズ１５３により構成される。光源１５１は、水平方向に向けて配置されている。光源１５１から出射された照明光は、ミラー１５２により反射され、集光レンズ１５３を介して出射される。この照明光は、可動ステージ１２を透過し、その透過光の一部は、ワークにより遮断され、他の一部が受光レンズ１１４に入射する。
【００３８】
リング照明ユニット１４０は、可動ステージ１２上のワークに照明光を上方又は側方から照射する落射照明装置であり、カメラ１１０及び１２０の撮影軸を取り囲むリング形状からなる。このリング照明ユニット１４０は、可動ステージ１２上のワークに拡散光を上方或いは側方から照射する拡散照明装置１４１と、可動ステージ１２上のワークに照明光を側方から照射する側射照明装置１４２とを同軸に配置した照明装置である。
【００３９】
拡散照明装置１４１は、カメラ１１０及び１２０の撮影軸を取り囲むリング状の光源を有する。この光源は、周方向を分割した２以上のブロックごとに点灯可能である。側射照明装置１４２は、平行光又は平行光に近い拡がり角からなる照明光を照射し、ワークの周囲を側方から照明することができる。
【００４０】
照明ユニット１３０〜１５０の光源には、ＬＥＤ（発光ダイオード）やハロゲンランプが用いられる。照明位置調整部１０３は、リング照明ユニット１４０を撮影軸方向に移動させることにより、可動ステージ１２に対するリング照明ユニット１４０の相対位置を調整する相対位置調整手段である。ワークの照明方法としては、透過照明、リング照明又は同軸落射照明のいずれかを選択することができる。
【００４１】
＜制御ユニット２０＞
図３は、図１の制御ユニット２０内の機能構成の一例を示したブロック図である。この制御ユニット２０は、撮像制御部２１、ワーク画像記憶部２２、測定領域指定部２３、測定設定記憶部２４、幾何学的特徴量算出部２５、エッジ抽出部２６、寸法値算出部２７、エッジ形状指定部２８、エッジ抽出結果表示部２９、エッジ抽出結果選択部３０及びエッジ抽出パラメータ決定部４１により構成される。
【００４２】
撮像制御部２１は、ユーザ操作に基づいて、カメラ１１０，１２０、照明位置調整部１０３及び照明ユニット１３０〜１５０を制御し、カメラ１１０又は１２０からワーク画像を取得してワーク画像記憶部２２内に格納する。
【００４３】
測定領域指定部２３は、ユーザ操作に基づいて、ワーク画像記憶部２２からワーク画像を読み出し、ワーク画像に対し、測定対象領域を指定する。測定対象領域は、寸法測定のためにエッジ抽出処理を行わせる画像領域であり、矩形、円形、円環、円弧などの様々な形状を指定することができる。例えば、測定領域指定部２３は、拡散照明装置１４１の拡散光を照射して撮影されたワーク画像を用いて、測定対象領域を指定する。拡散光を照射して撮影されたワーク画像を用いることにより、ワークの全体像を確認しながら測定対象領域を指定することができる。測定設定記憶部２４には、測定対象領域を示す位置情報や測定種別が測定設定データとして保持される。
【００４４】
測定対象領域を指定する具体的な方法には、各種の方法がある。例えば、矩形領域を指定する場合、画像上の１点を指定するだけで矩形領域が選択される方法と、始点、終点、領域幅又は２以上の頂点を指定する方法がある。また、円形領域を指定する場合には、１点を指定する方法と、１点及び半径を指定する方法がある。また、円環領域を指定する場合には、１点、半径及び領域幅を指定する方法がある。また、円弧領域を指定する場合には、始点、中間点及び終点を指定する方法がある。これらの方法は、ユーザが任意に選択することができる。
【００４５】
点の位置を指定する具体的な方法には、マウス３２を操作して表示画面１１ａ内でマウスカーソルを移動させ、クリック操作を行う方法と、ディスプレイ装置１１が表示画面１１ａに対するタッチ操作を検出するタッチパネル機能を有する場合に、表示画面１１ａをなぞる方法やタップする方法がある。これらの方法は、ユーザが任意に選択することができる。
【００４６】
なお、測定対象領域から可能な限り多くのエッジを抽出するために、ユーザが表示画面１１ａ上で指示した画像領域を外側へ一定距離だけ拡大させた領域を測定対象領域として指定するような構成であっても良い。
【００４７】
エッジ抽出部２６は、測定対象領域内のエッジを抽出する。エッジ抽出処理は、測定対象領域内の画素について、輝度変化を解析することにより、エッジ点を抽出し、抽出した複数のエッジ点に直線、円、円弧などの幾何学図形をフィッティングさせることにより行われる。
【００４８】
寸法値算出部２７は、エッジ抽出部２６により抽出されたエッジに基づいて、ワークの寸法値を求め、測定結果として出力する。幾何学的特徴量算出部２５は、エッジ抽出部２６により抽出されたエッジに基づいて、幾何学的特徴量を求める。幾何学的特徴量は、エッジを構成するエッジ点列にフィッティングさせた幾何学図形の特徴量であり、真直度、真円度、基準座標からの位置などが幾何学的特徴量として算出される。
【００４９】
エッジ抽出結果表示部２９は、同一の測定対象領域に対する２以上のエッジ抽出結果をディスプレイ装置１１に表示する。エッジ抽出結果には、エッジ抽出部２６により抽出されたエッジの他、エッジを構成するエッジ点列、フィッティング線、エッジから求められた寸法値及び幾何学的特徴量がある。例えば、エッジ抽出結果表示部２９は、ワーク画像記憶部２２からワーク画像を読み出して表示するとともに、同一の測定対象領域から抽出された２以上のエッジ抽出結果を、ワーク画像上に重ねて表示する。
【００５０】
同一の測定対象領域から抽出された複数のエッジをワーク画像上に表示する方法には、複数のエッジを一覧表示する方法と、複数のエッジのいずれか一つを選択的に表示する方法があり、ユーザが任意に指定することができる。複数のエッジを一覧表示すれば、各エッジの相対的な位置関係を容易に識別することができる。一方、複数のエッジのいずれか一つを選択的に表示すれば、同一の測定対象領域から抽出されたエッジを個別に確認することができる。
【００５１】
また、エッジ抽出結果表示部２９は、エッジに対応づけて、寸法値、エッジを構成するエッジ点列又は幾何学的特徴量を表示する。この様に構成することにより、エッジの形状や位置を確認することができるとともに、エッジを構成するエッジ点列、エッジから求められたワークの寸法値又は幾何学的特徴量を確認して適切なエッジを選択することができる。エッジ抽出結果選択部３０は、ユーザ操作に基づいて、エッジ抽出結果表示部２９により表示されたエッジ抽出結果のいずれか一つを選択する。
【００５２】
エッジ抽出パラメータ決定部４１は、エッジ抽出結果選択部３０により選択されたエッジ抽出結果を他のエッジ抽出結果よりも優先的に抽出するためのエッジ抽出パラメータを決定する。測定設定記憶部２４は、エッジ抽出パラメータ決定部４１により決定されたエッジ抽出パラメータと、測定領域指定部２３により指定された測定対象領域とを測定設定データとして保持する。また、測定設定記憶部２４には、エッジ抽出パラメータが測定対象領域に関連づけて保持される。
【００５３】
エッジ抽出パラメータは、測定対象領域内から１つのエッジを抽出するための２以上の抽出条件からなる変数である。このエッジ抽出パラメータを構成する抽出条件には、エッジ強度、スキャン方向、エッジ方向及び優先指定がある。
【００５４】
エッジ強度は、直線方向の画素の位置と各画素の輝度値とからなる輝度分布における輝度の微分値である。エッジ強度の上限値又は下限値をエッジ抽出パラメータとして指定することができる。エッジ強度は、輝度が急激に変化する画素位置ほど、高い。また、エッジ強度が低い画素位置では、ノイズ成分をエッジとして誤抽出してしまうことがあるが、上限値や下限値により指定された範囲内のエッジ点のみを抽出することにより、安定したエッジ抽出が可能となる。
【００５５】
スキャン方向は、エッジを探索する際の探索方向であり、測定対象領域に対し、ユーザから見て、左方向又は右方向のいずれか、或いは、上方向又は下方向のいずれかをエッジ抽出パラメータとして指定することができる。エッジ方向は、エッジ点として抽出する輝度変化の方向であり、輝度分布をスキャン方向に走査する場合に、輝度値が低輝度側から高輝度側へ変化するのか、或いは、輝度値が高輝度側から低輝度側へ変化するのかをエッジ抽出パラメータとして指定することができる。通常、特定のエッジを構成するエッジ点は、同一方向であるため、エッジ方向を指定することにより、逆方向のエッジを誤抽出するのを抑制することができる。
【００５６】
優先指定は、エッジ強度、スキャン方向及びエッジ方向の各パラメータにより指定された抽出条件を満たす２以上のエッジ点が同一直線上に検出された場合に、いずれのエッジ点を採用するのかの指定である。例えば、輝度分布をスキャン方向に走査する場合に、最初に検出されたエッジ点を採用するのか、或いは、測定対象領域の中心又は中心線に最も近いエッジ点を採用するのかをエッジ抽出パラメータとして選択することができる。また、ノイズ成分が少ない側から輝度分布を走査し、最初に検出されたエッジ点を採用することを優先指定により選択することができる。この様な優先指定により、エッジ抽出の安定性を向上させることができる。
【００５７】
エッジ抽出の具体的な方法には、測定対象領域内に含まれるエッジのみを抽出する方法と、測定対象領域の境界を横切るエッジのみを抽出する方法と、測定対象領域内に含まれるエッジと測定対象領域の境界を横切るエッジとの両方を抽出する方法がある。これらの方法は、ユーザが任意に選択することができる。
【００５８】
通常、エッジ抽出パラメータには、所望のエッジが一意に抽出されるようにするため、エッジ強度やスキャン方向を示す複数のパラメータの組合せが指定される。一方、同一の測定対象領域から２以上のエッジを抽出する際には、通常時に使用するエッジ抽出パラメータの一部又は全部のパラメータを変更する方法と、通常時に使用するエッジ抽出パラメータの一部又は全部のパラメータを無視する方法と、測定対象領域から抽出された２以上のエッジ点を２以上のグループにグループ分けする方法がある。
【００５９】
また、エッジ抽出パラメータを変更しながらエッジ抽出を繰り返す方法がある。この場合、エッジ抽出パラメータ決定部４１は、エッジ抽出部２６が、エッジ抽出パラメータを変更しながらエッジ抽出を繰り返して複数のエッジを抽出する際に、エッジ抽出パラメータを同時に決定する。上述した各種の方法は、ユーザが任意に選択することができる。
【００６０】
測定対象領域から抽出されたエッジ点を複数のグループにグループ分けする方法には、各種の方法がある。例えば、エッジ点の位置情報を用いて、互いに近接しているエッジ点を同じグループに分類する方法と、エッジ特性、すなわち、エッジ方向又はエッジ強度に基づいて、エッジ点をグループ分けする方法がある。また、スキャン方向から見た場合のスキャンライン上における順位に基づいて、エッジ点をグループ分けする方法がある。また、測定対象領域から抽出された多数のエッジ点を、フィットする幾何学図形に応じて２以上の形状グループにグループ分けする方法がある。この方法では、形状グループごとに、エッジが特定される。これらの方法は、ユーザが任意に選択することができる。
【００６１】
エッジ形状指定部２８は、ユーザ操作に基づいて、エッジ形状を指定する。エッジ形状は、エッジ点列にフィッティングさせる幾何学的形状であり、直線、円、円弧又は任意の曲線をエッジ形状として指定することができる。具体的には、ユーザが測定対象領域を指定する際の領域指定情報に基づいて、エッジ形状が自動的に決定される。例えば、ドラッグ操作により、測定対象領域を指定した場合に、ドラッグ操作時のマウスカーソルの軌跡に基づいて、エッジ形状が決定される。或いは、クリック操作により、３以上の点の位置を指定した場合に、これらの点からなる点列に基づいて、エッジ形状が決定される。
【００６２】
エッジ抽出部２６は、エッジ形状指定部２８により指定されたエッジ形状に基づいて、測定対象領域内のエッジを抽出する。この様に構成することにより、ユーザにより指定されたエッジ形状以外の形状のエッジは抽出されないので、エッジ抽出の精度を向上させることができる。
【００６３】
寸法値などの測定結果は、ディスプレイ装置１１に表示される。また、制御ユニット２０は、ワークを連続して測定する連続測定のための測定設定データを作成する。この測定設定データは、位置決め情報、測定対象領域、測定対象領域ごとの設計値や公差を示す情報からなる。位置決め情報は、ワーク画像を解析してワークの位置や姿勢を検出するための情報である。
【００６４】
エッジ抽出部２６は、測定設定データが指定された連続測定において、測定設定データとして保持されたエッジ抽出パラメータに基づいて、エッジ抽出を行う。また、測定設定記憶部２４には、測定領域指定部２３により同一のワーク画像に対して指定された２以上の測定対象領域と、これらの測定対象領域ごとにエッジ抽出パラメータ決定部４１により決定されたエッジ抽出パラメータとが測定設定データとして保持される。エッジ抽出部２６は、連続測定において、測定設定データとして保持されたエッジ抽出パラメータを用いて対応する測定対象領域からエッジを抽出することを、測定対象領域を変更しながら繰り返す。
【００６５】
測定設定データが指定された連続測定では、測定対象領域を測定するのに適したエッジ抽出パラメータでエッジ抽出が行われるので、ワークの形状や材質が変わっても、測定設定データを指定するだけで、複数の測定対象領域について、安定した寸法測定を行うことができる。
【００６６】
＜測定設定画面５０＞
図４は、図１の画像測定器１の動作の一例を示した図であり、測定ユニット１０のディスプレイ装置１１に表示される測定設定画面５０が示されている。この測定設定画面５０は、エッジ抽出パラメータを設定するための編集画面であり、プレビュー領域５１、設定手順表示領域５２、エッジ形状選択ボタン５３、確定ボタン５４及びＯＫボタン５５により構成される。
【００６７】
プレビュー領域５１には、撮影されたワーク画像２が表示される。この例では、透過照明を利用して撮影されたワーク画像２がプレビュー領域５１内に表示されている。設定手順表示領域５２には、測定対象領域の指定からエッジ選択の確定までの操作手順が表示されている。エッジ形状選択ボタン５３は、エッジ形状及び寸法種別を選択するための操作アイコンである。確定ボタン５４は、設定内容を確定して次の操作手順へ移行させるための操作アイコンである。ＯＫボタン５５は、選択されたエッジに基づいて、エッジ抽出パラメータを決定させるための操作アイコンである。
【００６８】
図５は、図１の画像測定器１の動作の一例を示した図であり、プレビュー領域５１内のワーク画像２に対して測定対象領域３を指定した後の状態が示されている。円を抽出対象のエッジ形状として選択した場合、ワーク画像２における円形状の輪郭線上で３つの点を指定すれば、円環状の領域を測定対象領域３として指定することができる。この例では、ワークの中央部に形成された貫通孔に沿って測定対象領域３が指定されている。
【００６９】
図６は、図１の画像測定器１の動作の一例を示した図であり、測定対象領域３から抽出されたエッジ４の一つを選択した場合が示されている。図７は、図１の画像測定器１の動作の一例を示した図であり、エッジ選択ボタン５６を操作して他のエッジ４を選択した場合が示されている。
【００７０】
同一の測定対象領域３から複数のエッジ４が抽出された場合、抽出されたエッジ４のいずれか一つがプレビュー領域５１内のワーク画像２上に表示される。また、ワーク画像２には、表示中のエッジに対応づけて寸法値が表示されている。エッジ選択ボタン５６は、プレビュー領域５１に表示させるエッジ４を選択するための操作アイコンである。
【００７１】
エッジ選択ボタン５６を操作してエッジ選択を変更するごとに、プレビュー領域５１内のワーク画像２上に表示されるエッジ４及び寸法値が切り替えられる。ユーザは、ワーク画像２上に表示されたエッジ４及び寸法値を確認することにより、所望のエッジを容易に識別することができる。
【００７２】
図８は、図１の画像測定器１におけるエッジ抽出時の動作の一例を模式的に示した説明図である。図中の（ａ）には、ワーク画像２上に定められた矩形状の測定対象領域３と、測定対象領域３内に定められた直線状のスキャンラインＳＬ１及びＳＬ２とが示されている。
【００７３】
エッジ抽出は、スキャンラインＳＬ１又はＳＬ２に沿って輝度の変化を解析することにより行われ、輝度が急激に変化するところがエッジ点として抽出される。具体的には、輝度の変化率、すなわち、微分値がエッジ強度であり、エッジ強度の極大点がエッジ点として抽出される。
【００７４】
図中の（ｂ）には、スキャンラインＳＬ１上の位置ｘごとのエッジ強度からなるエッジ強度分布が示され、図中の（ｃ）には、スキャンラインＳＬ２上の位置ｘごとのエッジ強度からなるエッジ強度分布が示されている。
【００７５】
スキャンラインＳＬ１上では、輝度が大きく変化する変化点が４箇所あるのに対し、スキャンラインＳＬ２上では、輝度が大きく変化する変化点が２箇所である。この様に、ワーク表面の凹凸又は段差に対するスキャンラインＳＬの位置によって、エッジ強度分布が大きく異なる。
【００７６】
図９は、図１の画像測定器１におけるエッジ抽出時の動作の一例を示した図であり、エッジ抽出パラメータを互いに異ならせて抽出されたエッジ点５が示されている。この図には、図８に示したワーク画像２上の測定対象領域３から抽出されたエッジ点５が示されている。
【００７７】
図中の（ａ）には、エッジ強度の極大点をエッジ点５として抽出するように、エッジ抽出パラメータを指定した場合が示されている。この場合、スキャンラインＳＬ１から４つのエッジ点５が抽出され、スキャンラインＳＬ２から２つのエッジ点５が抽出されている。なお、（ａ）では、右方向がスキャン方向として指定されている。
【００７８】
図中の（ｂ）には、エッジ強度の極大点のうち、スキャン方向から見て順位が第１番目の極大点をエッジ点５として抽出するように、エッジ抽出パラメータを指定した場合が示されている。この場合、各スキャンラインＳＬ１及びＳＬ２から抽出されるエッジ点５は、スキャン方向によって異なっている。すなわち、右方向がスキャン方向として指定されている場合、スキャンラインＳＬ１及びＳＬ２からそれぞれ１つのエッジ点５が抽出され、ワーク表面上の左端の段差に相当する位置に表示されている。
【００７９】
一方、左方向がスキャン方向として指定されている場合には、スキャンラインＳＬ１から抽出されたエッジ点５がワーク表面上の右端の段差に相当する位置に表示され、スキャンラインＳＬ２から抽出されたエッジ点５がワーク表面上の左端から２つ目の段差に相当する位置に表示されている。
【００８０】
図中の（ｃ）には、エッジ強度が閾値Ｅｔｈよりも大きい極大点のうち、スキャン方向から見て順位が第１番目の極大点をエッジ点５として抽出するように、エッジ抽出パラメータを指定した場合が示されている。この場合にも、各スキャンラインＳＬ１及びＳＬ２から抽出されるエッジ点５は、スキャン方向によって異なっている。すなわち、右方向がスキャン方向として指定されている場合、スキャンラインＳＬ１及びＳＬ２からそれぞれ１つのエッジ点５が抽出され、ワーク表面上の左端の段差に相当する位置に表示されている。
【００８１】
一方、左方向がスキャン方向として指定されている場合には、スキャンラインＳＬ１及びＳＬ２からそれぞれ１つのエッジ点５が抽出され、ワーク表面上の左端から２つ目の段差に相当する位置に表示されている。
【００８２】
図中の（ｄ）には、エッジ強度が閾値Ｅｔｈよりも大きく、かつ、エッジ方向が暗（低輝度側）から明（高輝度側）である極大点のうち、スキャン方向から見て順位が第１番目の極大点をエッジ点５として抽出するように、エッジ抽出パラメータを指定した場合が示されている。この場合にも、各スキャンラインＳＬ１及びＳＬ２から抽出されるエッジ点５は、スキャン方向によって異なっている。すなわち、右方向がスキャン方向として指定されている場合、スキャンラインＳＬ１及びＳＬ２からそれぞれ１つのエッジ点５が抽出され、ワーク表面上の左端から２つ目の段差に相当する位置に表示されている。
【００８３】
一方、左方向がスキャン方向として指定されている場合には、スキャンラインＳＬ１及びＳＬ２からそれぞれ１つのエッジ点５が抽出され、ワーク表面上の左端の段差に相当する位置に表示されている。この様に、エッジ抽出パラメータを調整することにより、測定対象領域３から抽出されるエッジ点５を制御することができる。
【００８４】
図１０のステップＳ１０１〜Ｓ１１０は、図１の画像測定器１における測定設定時の動作の一例を示したフローチャートである。まず、制御ユニット２０は、ユーザ操作を受け付け、ワーク画像に対し、測定対象領域が指定されれば（ステップＳ１０１）、測定対象領域内の輝度変化を解析してエッジを抽出し、抽出したエッジに基づいて、寸法値を算出する（ステップＳ１０２）。
【００８５】
次に、制御ユニット２０は、同一の測定対象領域から２以上のエッジ抽出結果が抽出されれば、これらのエッジ抽出結果のいずれか一つを選択的に表示し（ステップＳ１０３，Ｓ１０４）、ユーザによりエッジ抽出結果が選択されれば、選択されたエッジ抽出結果に基づいて、エッジ抽出パラメータを決定し、測定設定データとして記憶する（ステップＳ１０５，Ｓ１０６）。
【００８６】
一方、制御ユニット２０は、測定対象領域から１つのエッジ抽出結果しか抽出されなければ、当該エッジ抽出結果をワーク画像上に表示し、当該エッジ抽出結果に基づいてエッジ抽出パラメータを決定し、測定設定データとして記憶する（ステップＳ１０３，Ｓ１０９，Ｓ１１０）。
【００８７】
次に、制御ユニット２０は、他に測定対象領域の指定があれば、ステップＳ１０１以降の処理手順を繰り返し（ステップＳ１０７）、他に測定対象領域の指定がなければ、測定設定データを作成してこの処理を終了する（ステップＳ１０８）。
【００８８】
図１１のステップＳ２０１〜Ｓ２１０は、図１の画像測定器１における寸法測定時の動作の一例を示したフローチャートである。まず、制御ユニット２０は、ユーザ操作を受け付け、連続測定対象のワークに応じた測定設定データを選択する（ステップＳ２０１）。
【００８９】
次に、制御ユニット２０は、測定ユニット１０の実行ボタン１６が操作されれば（ステップＳ２０２）、測定設定データとして保持された測定対象領域を読み出し（ステップＳ２０３）、可動ステージ１２上のワークを撮影し、ワーク画像を取得する（ステップＳ２０４）。
【００９０】
制御ユニット２０は、取得したワーク画像に基づいて、測定対象領域のエッジを抽出し（ステップＳ２０５）、抽出したエッジに基づいて、寸法値を算出する（ステップＳ２０６）。制御ユニット２０は、他に測定対象領域があれば、ステップＳ２０３からステップＳ２０６までの処理手順を繰り返し（ステップＳ２０７）、全ての測定対象領域について、寸法測定が完了すれば、エッジや寸法値を測定結果としてディスプレイ装置１１に表示し（ステップＳ２０８）、測定結果を保存する（ステップＳ２０９）。
【００９１】
制御ユニット２０は、他に連続測定対象のワークがあれば、ステップＳ２０２以降の処理手順を繰り返し、他に連続測定対象のワークがなければ、この処理を終了する（ステップ２１０）。
【００９２】
本実施の形態によれば、同一の測定対象領域から抽出した２以上のエッジ抽出結果がワーク画像上に表示されるので、ユーザは、ワーク画像上に表示されたエッジ抽出結果のいずれか一つを選択するだけで、所望のエッジを抽出するのに適したエッジ抽出パラメータを決定することができる。また、エッジ抽出は、この様にして決定されたエッジ抽出パラメータに基づいて行われるので、測定対象領域に位置のばらつきがある場合、測定対象領域を間違って指定した場合、或いは、複数のエッジが測定対象領域に含まれている場合であっても、所望のエッジを正しく抽出することができる。
【００９３】
実施の形態２．
実施の形態１では、同一の測定対象領域から複数のエッジが抽出されれば、これらのエッジがワーク画像上に表示される場合の例について説明した。これに対し、本実施の形態では、同一の測定対象領域から複数のエッジが抽出されれば、複数のエッジが抽出されたことをユーザに通知する場合について説明する。
【００９４】
図１２は、本発明の実施の形態２による画像測定器１の一構成例を示したブロック図であり、制御ユニット２０内の機能構成の一例が示されている。この制御ユニット２０は、図３の制御ユニット２０と比較すれば、安定度算出部４２及びユーザ通知部４３を備える一方、幾何学的特徴量算出部２５を備えていない点で異なる。
【００９５】
安定度算出部４２は、同一の測定対象領域から抽出された２以上のエッジについて、エッジ抽出の安定度を求める。例えば、エッジ抽出パラメータを変化させても、同じエッジが抽出されるか否かによって、安定度が評価される。
【００９６】
エッジ抽出結果表示部２９は、安定度算出部４２により求められた安定度に基づいて、同一の測定対象領域から抽出された２以上のエッジを選択的に表示する。例えば、安定度の高いエッジのみが表示され、安定度の低いエッジは表示されない。この様に構成することにより、安定度の低いエッジは表示されないので、安定度の低いエッジによってエッジ抽出パラメータが誤って定められるのを防止することができる。
【００９７】
ユーザ通知部４３は、同一の測定対象領域から２以上のエッジが抽出されたことをユーザに通知する。例えば、ディスプレイ装置１１の表示画面１１ａ上にメッセージが表示される。エッジ抽出結果表示部２９は、ユーザ操作に基づいて、同一の測定対象領域から抽出された２以上のエッジをワーク画像上に表示する。つまり、同一の測定対象領域から複数のエッジが抽出された場合、まず、複数のエッジが抽出されたことがメッセージなどによってユーザに通知される。そして、ユーザが確認の操作を行った後に、抽出されたエッジが表示される。この様に構成することにより、同一の測定対象領域から複数のエッジが抽出されたことを確認してから、これらのエッジをワーク画像上に表示させることができる。
【符号の説明】
【００９８】
１  画像測定器
１０  測定ユニット
１１  ディスプレイ装置
１１ａ  表示画面
１２  可動ステージ
１４ａ  ＸＹ調整つまみ
１４ｂ  Ｚ調整つまみ
１５  電源スイッチ
１６  実行ボタン
１００  筐体
１０１  ステージ調整部
１０２  鏡筒部
１０３  照明位置調整部
１１０，１２０  カメラ
１３０  同軸落射照明ユニット
１４０  リング照明ユニット
１４１  拡散照明装置
１４２  側射照明装置
１５０  透過照明ユニット
２０  制御ユニット
２１  撮像制御部
２２  ワーク画像記憶部
２３  測定領域指定部
２４  測定設定記憶部
２５  幾何学的特徴量算出部
２６  エッジ抽出部
２７  寸法値算出部
２８  エッジ形状指定部
２９  エッジ抽出結果表示部
３０  エッジ抽出結果選択部
３１  キーボード
３２  マウス
４１  エッジ抽出パラメータ決定部
４２  安定度算出部
４３  ユーザ通知部
５０  測定設定画面
２  ワーク画像
３  測定対象領域
４  エッジ
５  エッジ点
【図１】
2015163860.tif 000003
【図２】
2015163860.tif 000004
【図３】
2015163860.tif 000005
【図８】
2015163860.tif 000006
【図９】
2015163860.tif 000007
【図１０】
2015163860.tif 000008
【図１１】
2015163860.tif 000009
【図１２】
2015163860.tif 000010
【図４】
2015163860.tif 000011
【図５】
2015163860.tif 000012
【図６】
2015163860.tif 000013
【図７】
2015163860.tif 000014